【手続補正書】
【提出日】平成15年6月9日(2003.6.9)
【手続補正１】
【補正対象書類名】明細書
【補正対象項目名】特許請求の範囲
【補正方法】変更
【補正の内容】
【特許請求の範囲】
【請求項１】
容器、該容器中に入れられている推進薬、及び照明弾の推進薬を点火するための押出成形された乾燥した点火用素子を含んでなる点火系を含む照明弾であって、該押出成形された乾燥した点火用素子は点火の際爆燃するものであり、乾燥した点火用素子を調合するための乾燥の前に成分として、水性溶液中に溶解した少なくとも１種の水溶性バインダー、少なくとも１種の酸化剤、少なくとも１種の燃料、及び任意に繊維を含んで成り、
該水溶性バインダーが、該押出成形可能な点火用組成物中の全乾燥した成分基準で約２重量％〜約１０重量％の量で存在する、水溶性高分子バインダー、水溶性ガム、及び水溶性ゼラチンよりなる群から選択される少なくとも１種の員子を含んで成り、
該押出成形された乾燥した点火用素子の調合が、押出成形可能な水の組成物を乾燥することを含んで成る、照明弾。
【請求項２】
水溶性バインダーが、ポリ‐Ｎ‐ビニルピロリドン、ポリビニルアルコール、ポリ‐Ｎ‐ビニルピロリドンとポリビニルアルコールの共重合体、ポリアクリルアミド、ポリアクリル酸ナトリウム類、及びポリアクリルアミドとポリアクリル酸の共重合体よりなる群から選ばれる少なくとも１種の員子を含んでなる、請求項１の照明弾。
【請求項３】
水溶性バインダーがポリ‐Ｎ‐ビニルピロリドンを含んでなる、請求項１の照明弾。
【請求項４】
水溶性バインダーがポリビニルアルコールを含んでなる、請求項１の照明弾。
【請求項５】
水溶性バインダーがガムを含んでなる、請求項１の照明弾。
【請求項６】
水溶性高分子バインダーがポリアクリルアミドを含んでなる、請求項１の照明弾。
【請求項７】
酸化剤が押出成形可能な点火用組成物の調合に用いられた乾燥した成分に対して約４０重量％〜約９０重量％の量で存在する、請求項１の照明弾。
【請求項８】
酸化剤が有機の酸化剤を含んでなる、請求項１の照明弾。
【請求項９】
酸化剤が硝酸塩、亜硝酸塩、塩素酸塩、過塩素酸塩、過酸化物および超酸化物よりなる群から選ばれる少なくとも１種のイオン性種を含んでなる、請求項１の照明弾。
【請求項１０】
押出成形可能な点火用組成物が繊維を含有する、請求項１の照明弾。
【請求項１１】
繊維がポリオレフィン繊維、ポリアミド繊維、ポリエステル繊維およびポリ（２，２’−（ｍ−フェニレン）−５，５−ビスベンズイミダゾール）繊維の内の少なくとも１種を含んでなる、請求項１０の照明弾。
【請求項１２】
バインダーがポリ‐Ｎ‐ビニルピロリドン、ポリビニルアルコール、その共重合体、およびガムからなる群から選択される少なくとも１種の員子を含んでなり；
酸化剤が押出成形可能な点火用組成物の調合に用いられた乾燥した成分に対して約４０重量％〜約９０重量％の量で存在し、そして該酸化剤が硝酸塩、亜硝酸塩、塩素酸塩、過塩素酸塩、過酸化物および超酸化物よりなる群から選ばれる少なくとも１種のイオン性種を含有し；
押出成形可能な点火用組成物が、ポリオレフィン繊維、ポリアミド繊維、ポリエステル繊維およびポリ（２，２’−（ｍ−フェニレン）−５，５−ビスベンズイミダゾール）繊維の内の少なくとも１種を含んでなる、アスペクト比の小さい繊維を含有する、請求項１記載の照明弾。
【請求項１３】
該押出成形された点火用素子が、点火薬スティックとして形成されている、請求項１記載の照明弾。
【請求項１４】
該燃料がホウ素を含んでなり、該酸化剤が硝酸カリウムを含んでなる、請求項１記載の照明弾。
【請求項１５】
水溶性高分子バインダーが、ポリアクリルアミド、ポリアクリル酸ナトリウム、およびそれらの共重合体よりなる群から選ばれる少なくとも１種の員子を含んでなる、請求項１４記載の照明弾。
【請求項１６】
該ホウ素が約５重量％〜約３０重量％の量で存在し、硝酸カリウムが約４０重量％〜約９０重量％の量で存在し、該バインダーが約２重量％〜約１０重量％の量で存在する、請求項１５に記載の照明弾。
【請求項１７】
押出成形可能な点火用組成物がさらに、成分の１つとして、硝酸グアニジンを含んでなる請求項１６記載の照明弾。
【請求項１８】
容器、その容器中に入れられている推進薬、及びその照明弾の推進薬を点火するための点火の際爆燃する押出成形された乾燥した点火用素子を含んでなる点火系を含んでなる照明弾を製造する方法であって、
該押出成形された乾燥した点火用素子が押出成形可能な点火用組成物から調合され、該方法が
水性溶液中に少なくとも１種の水溶性バインダーを溶解すること、
該溶解したバインダーを該押出成形された点火用組成物に調合するために少なくとも１種の酸化剤、少なくとも１種の燃料、および任意に繊維と混合すること、および
該押出成形可能な点火用組成物を押出成形し乾燥すること、
を含んでなり、
水溶性バインダーが、押出成形可能な点火用組成物中の全乾燥した成分量基準で約２重量％〜約１０重量％の量で存在する、水溶性高分子バインダー、水溶性ガム、及び水溶性ゼラチンよりなる群から選ばれる少なくとも１種の員子を含んでなる、
方法。
【請求項１９】
水溶性バインダーが、ポリ‐Ｎ‐ビニルピロリドン、ポリビニルアルコール、ポリ‐Ｎ‐ビニルピロリドンとポリビニルアルコールの共重合体、ポリアクリルアミド、ポリアクリル酸ナトリウム類、及びポリアクリルアミドとポリアクリル酸の共重合体よりなる群から選ばれる少なくとも１種の員子を含んでなる、請求項１８に記載の照明弾を製造する方法。
【請求項２０】
水溶性バインダーがポリ‐Ｎ‐ビニルピロリドンを含んでなる、請求項１８に記載の照明弾を製造する方法。
【請求項２１】
水溶性バインダーがポリビニルアルコールを含んでなる、請求項１８に記載の照明弾を製造する方法。
【請求項２２】
水溶性バインダーがガムを含んでなる、請求項１８に記載の照明弾を製造する方法。
【請求項２３】
水溶性高分子バインダーがポリアクリルアミドを含んでなる、請求項１８に記載の照明弾を製造する方法。
【請求項２４】
酸化剤が押出成形可能な点火用組成物の調合に用いられた乾燥した成分に対して約４０重量％〜約９０重量％の量で存在する、請求項１８に記載の照明弾を製造する方法。
【請求項２５】
酸化剤が有機の酸化剤を含んでなる、請求項１８に記載の照明弾を製造する方法。
【請求項２６】
酸化剤が硝酸塩、亜硝酸塩、塩素酸塩、過塩素酸塩、過酸化物および超酸化物よりなる群から選ばれる少なくとも１種のイオン性種を含んでなる、請求項１８に記載の照明弾を製造する方法。
【請求項２７】
押出成形可能な点火用組成物が繊維を含有する、請求項１８に記載の照明弾を製造する方法。
【請求項２８】
繊維がポリオレフィン繊維、ポリアミド繊維、ポリエステル繊維およびポリ（２，２’−（ｍ−フェニレン）−５，５−ビスベンズイミダゾール）繊維の内の少なくとも１種を含んでなる、請求項１８に記載の照明弾を製造する方法。
【請求項２９】
バインダーがポリ‐Ｎ‐ビニルピロリドン、ポリビニルアルコール、その共重合体、およびガムからなる群から選択される少なくとも１種の員子を含んでなり；
酸化剤が押出成形可能な点火用組成物の調合に用いられた乾燥した成分に対して約４０重量％〜約９０重量％の量で存在し、そして該酸化剤が硝酸塩、亜硝酸塩、塩素酸塩、過塩素酸塩、過酸化物および超酸化物よりなる群から選ばれる少なくとも１種のイオン性種を含有し；
押出成形可能な点火用組成物が、ポリオレフィン繊維、ポリアミド繊維、ポリエステル繊維およびポリ（２，２’−（ｍ−フェニレン）−５，５−ビスベンズイミダゾール）繊維の内の少なくとも１種を含んでなる、アスペクト比の小さい繊維を含有する、請求項１８に記載の照明弾を製造する方法。
【請求項３０】
該押出成形された点火用素子が、点火薬スティックとして形成されている、請求項１８に記載の照明弾を製造する方法。
【請求項３１】
該燃料がホウ素を含んでなり、該酸化剤が硝酸カリウムを含んでなる、請求項１８に記載の照明弾を製造する方法。
【請求項３２】
水溶性高分子バインダーが、ポリアクリルアミド、ポリアクリル酸ナトリウム、およびその共重合体よりなる群から選ばれる少なくとも１種の員子を含んでなる、請求項１８に記載の照明弾を製造する方法。
【請求項３３】
該ホウ素が約５重量％〜約３０重量％の量で存在し、硝酸カリウムが約４０重量％〜約９０重量％の量で存在し、該バインダーが約２重量％〜約１０重量％の量で存在する、請求項１８に記載の照明弾を製造する方法。
【請求項３４】
押出成形可能な点火用組成物がさらに、成分の１つとして、硝酸グアニジンを含んでなる請求項１８に記載の照明弾を製造する方法。